(57)【要約】      （修正有）【課題】電気アーク・フラッシュから装置内の他の機器を保護するスパークギャップが発生する高温ガスにより、他の機器が損傷することを防ぐ。【解決手段】第２のアーク・フラッシュを形成するように構成されたアーク光源電極と、アーク・フラッシュに応じてアーク光源電極の近傍にプラズマを噴射するように構成されたプラズマ・ガンと、アーク光源およびプラズマ・ガンを収容するアーク閉じ込め装置２００と、排気ガスを装置から外へ出して第１の方向に送るように構成された排気ポート３５０と、排気ポートと流れ連絡する状態で結合した排気ダクト３２２であって、第１のチューブ部分および第２のチューブ部分を備える実質的に中空のチューブを備え、第１のチューブ部分は排気ポートと結合し、第２のチューブ部分は、排気口を画定するとともに第１のチューブ部分と結合して排気ガスを装置から外へ出して第２の方向へ送る、排気ダクトと、を備える。【選択図】図６
2012142276.tif 000002
【特許請求の範囲】
【請求項１】
電力システム内で生じたアーク・フラッシュから離れるようにエネルギーを移すための装置であって、
第２のアーク・フラッシュを形成するように構成されたアーク光源と、
前記アーク・フラッシュに応じて前記アーク光源の近傍にプラズマを噴射するように構成および配置されたプラズマ・ガンと、
前記アーク光源および前記プラズマ・ガンを収容するように構成および配置されたアーク閉じ込め装置であって、排気ガスを前記アーク閉じ込め装置から外へ出して第１の方向に送るように構成された排気ポートを備えるアーク閉じ込め装置と、
前記排気ポートと流れ連絡する状態で機能的に結合するように構成された排気ダクトであって、
第１のチューブ部分および第２のチューブ部分を備える実質的に中空のチューブを備え、
前記第１のチューブ部分は、前記排気ポートと流れ連絡する状態で結合するように構成され、
前記第２のチューブ部分は、排気口を画定し、前記第１のチューブ部分と流れ連絡する状態で結合して前記排気ガスを前記アーク閉じ込め装置から外へ出して第２の方向へ送る、排気ダクトと、を備える装置。
【請求項２】
前記第２の方向は実質的に垂直方向である請求項１に記載の装置。
【請求項３】
前記第２の方向は実質的に水平方向である請求項１に記載の装置。
【請求項４】
前記第２の方向は前記第１の方向とある角度をなしている請求項１に記載の装置。
【請求項５】
前記第１のチューブ部分は第１の端部および第２の端部を備え、前記第１および第２の端部は流れ連絡する状態で結合し、
前記第２のチューブ部分は第３の端部および第４の端部を備え、前記第３および第４の端部は流れ連絡する状態で結合し、
前記第１の端部はさらに、前記排気ポートと流れ連絡する状態で結合するように構成され、
前記第２の端部は前記第３の端部と流れ連絡するように構成されている、請求項１に記載の装置。
【請求項６】
前記第１の部分および前記第２の部分は単一ユニットとして形成されている請求項１に記載の排気ダクト。
【請求項７】
電力システム内で生じたアーク・フラッシュから離れるようにエネルギーを移すための装置を製造する方法であって、
第２のアーク・フラッシュを形成するように構成されたアーク光源を配置することと、
前記アーク・フラッシュに応じて前記アーク光源の近傍にプラズマを噴射するように構成されたプラズマ・ガンを配置することと、
前記アーク光源および前記プラズマ・ガンを収容するアーク閉じ込め装置を配置することと、
前記アーク閉じ込め装置と流れ連絡する状態で排気ポートを配置することと、
排気ガスを前記アーク閉じ込め装置から外へ出して第１の方向へ送るように前記排気ポートを配設することと、
前記排気ポートと流れ連絡する状態で排気ダクトを配置して前記排気ガスを前記装置から外へ出して第２の方向へ送ることと、を含む方法。
【請求項８】
前記第２の方向は実質的に垂直方向である請求項７に記載の方法。
【請求項９】
前記第２の方向は実質的に水平方向である請求項７に記載の方法。
【請求項１０】
前記第２の方向は前記第１の方向とある角度をなしている請求項７に記載の方法。
【請求項１１】
前記排気ダクトを単一ユニットとして形成する請求項７に記載の方法。
【発明の詳細な説明】
【技術分野】
【０００１】
本明細書で説明する実施形態は一般的に、電力機器保護デバイス関し、より詳細には、排気ガスおよび圧力をアーク発生箇所から離れるように運ぶ際に用いる装置に関する。
【背景技術】
【０００２】
既知の電力回路および開閉装置は一般的に、導体が、空気または気体もしくは固体誘電体などの絶縁体によって分離されている。しかし、導体が互いに非常に接近して位置している場合、または導体間の電圧が導体間の絶縁体の絶縁特性を超えている場合、アークが生じる可能性がある。導体間の絶縁体はイオン化される可能性があり、その結果、絶縁体が導電的になって、アーク・フラッシュの形成が可能になる。
【０００３】
アーク・フラッシュには、２つの相導体の間、相導体と中性導体との間、または相導体と接地点との間の故障に起因するエネルギーの急速な放出が含まれる。アーク・フラッシュ温度は、２０，０００°Ｃ以上になる可能性があり、その結果、導体および隣接機器が気化する可能性がある。また、アーク・フラッシュは、導体および隣接機器に損傷を与えるのに十分な著しいエネルギーを熱、強い光、圧力波、および／または音波の形態で放出する可能性がある。しかし、アーク・フラッシュを発生させる故障の電流レベルは一般的に、短絡回路の電流レベルよりも低いために、回路遮断器がトリップしないかまたは遅延トリップを示すことが、回路遮断器がアーク故障状態を取り扱うように具体的にデザインされない限り起こり得る。
【０００４】
標準的な回路保護デバイス（たとえばヒューズおよび回路遮断器）は一般的に、アーク・フラッシュを軽減するように十分迅速に反応することはない。十分迅速な応答を示す既知の回路保護デバイスの１つは、電気的な「バール」である。これは、電気エネルギーをアーク・フラッシュ・ポイントから離れるように移すために電気的「短絡回路」を意図的に形成することにより機械的および／または電気機械プロセスを用いるものである。このような意図的な短絡回路故障を次に、ヒューズまたは回路遮断器をトリップさせることによって取り除く。しかし、意図的な短絡回路故障をバールを用いて形成することによって、著しいレベルの電流が隣接電気機器を通って流れることができる場合があり、その結果、やはり機器に対する損傷が起こる可能性がある。
【０００５】
十分に迅速な応答を示す別の既知の回路保護デバイスは、アーク閉じ込め装置である。これは、電気エネルギーをアーク・フラッシュ・ポイントから離れるように移すために閉じ込めアークを形成するものである。たとえば、既知のデバイスの中には、回路上で検出された一次アーク・フラッシュに付随するエネルギーを散逸させるのに用いるアーク（たとえば二次アーク・フラッシュ）を発生させるものがある。少なくとも一部の既知のアーク閉じ込めデバイスは、閉じ込めアークが形成される箇所を離れて環境に入る排気経路を短くするために、側面に沿って位置する排気ポートを備えている。しかし、このような逃がす方式では、高圧の高温ガスが放出されて機器エンクロージャ内に入り、その結果、同じエンクロージャ内の他のエレクトロニクス・モジュールに対するさらなる損傷が生じる可能性がある。
【発明の概要】
【発明が解決しようとする課題】
【０００６】
少なくとも前述の理由により、排気ガスをアーク閉じ込め装置上の排気ポートから最適な方向に送って機器エンクロージャ内に入れる改善された排気ダクト装置を有するアーク閉じ込め装置が必要とされている。
【０００７】
さらに加えて、少なくとも前述した理由により、単純で、堅固で、安価で、および可動部品を持たない排気ダクト装置を有するアーク閉じ込め装置が必要とされている。
【課題を解決するための手段】
【０００８】
一態様においては、電力システム内で生じたアーク・フラッシュから離れるようにエネルギーを移すための装置が提供される。本装置は、第２のアーク・フラッシュを形成するように構成されたアーク光源と、アーク・フラッシュに応じて前記アーク光源の近傍にプラズマを噴射するように構成および配置されたプラズマ・ガンと、前記アーク光源および前記プラズマ・ガンを収容するように構成および配置されたアーク閉じ込め装置であって、排気ガスを前記アーク閉じ込め装置から外へ出して第１の方向に送るように構成された排気ポートを備えるアーク閉じ込め装置と、前記排気ポートと流れ連絡する状態で機能的に結合するように構成された排気ダクトであって、第１のチューブ部分および第２のチューブ部分を備える実質的に中空のチューブを備え、前記第１のチューブ部分は、前記排気ポートと流れ連絡する状態で結合するように構成され、前記第２のチューブ部分は、排気口を画定し、前記第１のチューブ部分と流れ連絡する状態で結合して排気ガスを前記アーク閉じ込め装置から外へ出して第２の方向へ送る、排気ダクトと、を備える。
【０００９】
別の態様においては、装置を製造する方法が提供される。本方法は、第２のアーク・フラッシュを形成するように構成されたアーク光源を配置することと、アーク・フラッシュに応じて前記アーク光源の近傍にプラズマを噴射するように構成されたプラズマ・ガンを配置することと、前記アーク光源および前記プラズマ・ガンを収容するアーク閉じ込め装置を配置することと、アーク閉じ込め装置と流れ連絡する状態で排気ポートを配置することと、排気ガスをアーク閉じ込め装置から外へ出して第１の方向へ送るように排気ポートを配設することと、排気ポートと流れ連絡する状態で排気ダクトを配置して排気ガスを装置から外へ出して第２の方向へ送ることと、を含む。
【図面の簡単な説明】
【００１０】
【図１】回路保護システムを有する典型的な電子機器スタックの正面図である。
【図２】図１に示す回路保護システムとともに用いても良い典型的なアーク閉じ込め装置の概略斜視図である。
【図３】図２に示すアーク閉じ込め装置の断面概略図である。
【図４】図２に示すアーク閉じ込め装置の部分分解図である。
【図５】図１の回路保護システムの概略斜視図である。
【図６】図１の回路保護システムの部分分解図である。
【図６ａ】図１の代替的な実施形態の回路保護システムの部分分解図である。
【発明を実施するための形態】
【００１１】
本明細書では、回路保護システムとともに用いるための装置および方法の典型的な実施形態について説明する。これらの実施形態によって、アーク・フラッシュが発生した後の回路保護システムから外へ出して出る排気ガス、熱、および圧力の流れが増える。たとえば、回路保護システムは、回路保護システムに結合された電力システム内での一次アーク・フラッシュの検出を示す信号を受信することができる。回路保護システムは次に、二次アーク・フラッシュを発生させて、一次アーク・フラッシュによって発生したエネルギーを電力システムから離れるように移すことができる。また、これらの実施形態によって、回路保護システムの一部である回路保護デバイスから外へ出る排気ガス、熱、および圧力の流れが増える。排気ガスを回路保護デバイスから離れるように（たとえば、実質的に垂直方向等に）送ることによって、機器エンクロージャ内に位置する回路保護システムおよび他の任意の電気的な機器を、排気ガス、熱、および圧力の流れから保護する。
【００１２】
図１は、機器エンクロージャ１０２内に収容される典型的な電子機器スタック１００の正面図である。スタック１００は、１または複数のエレクトロニクス・モジュール１０４と、エレクトロニクス・モジュール１０４にたとえばアーク・フラッシュ事象からの保護をもたらす回路保護システム１０６と、を備える。エンクロージャ１０２は、複数のコンパートメントを備えている。たとえば、下部コンパートメント１０８、中央コンパートメント１１０（回路保護システム１０６を収容する）、および上部コンパートメント１１２（エレクトロニクス・モジュール１０４を収容する）である。エンクロージャ１０２は、上壁１１４が、エンクロージャ１０２の第１の側壁１１６と第２の側壁１１８との間を延びている。排気開口部（図１には示さず）たとえば通気口が、上壁１１４を通って延びて、排気プレナム（図１には示さず）に流れ連絡する状態で結合している。排気プレナムは、上壁１１４からエレクトロニクス・モジュール１０２の背後を通って下方に延びて、中央コンパートメント１１０内に入っている。そこでは、排気プレナムは回路保護システム１０６に対して位置決めされている。特に、回路保護システム１０６はアーク転送装置（図１には示さず）を備えている。アーク転送装置は、エレクトロニクス・モジュール１０４または電力供給などの回路内で検出されたアーク・フラッシュ事象から離れるようにエネルギーを移す。アーク転送装置はアーク閉じ込め装置であっても良い。これについては、以下に詳細に説明する。あるいは、アーク転送装置は、アーク・フラッシュ事象に付随するエネルギーを別の箇所に移して任意の好適な仕方で散逸させるボルト締め故障装置であっても良い。
【００１３】
図２は、図１の回路保護システム１０６とともに用いても良い典型的なアーク閉じ込め装置２００の概略斜視図である。図３は、アーク閉じ込め装置２００の断面概略図である。図４は、アーク閉じ込め装置２００の部分分解図である。典型的な実施形態においては、アーク閉じ込め装置２００は、上部カバー２０２（図２〜６）、排気マニホールド２０４（図３および４）、ショック・シールド２０６（図３および４に示す）、および導体アセンブリ２０８（図４）を備えている。図２、３、５、および６に示すように、導体アセンブリ２０８は、導体ベース２１０と導体カバー２１２とを備え、それらの間に複数の導電体（図示せず）が位置している。各導電体は、アーク光源電極２１６（図４）を支持する電極支持体２１４に結合されている。各アーク光源電極２１６は、導体カバー２１２上に堅固に取り付けられ、離間に配置されてアーク光源電極間隙２８４を画定している。各導電体（図示せず）は、導体ベース２１０を通って延びて、電極２１６を電源（図示せず）たとえば電力バスに接続している。導体ベース２１０および導体カバー２１２を、任意の好適な電気絶縁材料および複合物で作って、電極２１６に対する電気絶縁性支持体にしても良い。
【００１４】
アーク・トリガリング装置たとえばプラズマ・ガン２８２は、アーク光源電極間隙２８４に隣接して配置され、たとえばアーク光源電極２１６に対して中心に配置されており、アーク光源電極間隙２８４内のスペースの一部をイオン化するように構成されている。一実施形態においては、プラズマ・ガン２８２は、アーク軽減技術としてプラズマを噴射して、回路保護システム１０６に結合された電力システム内での一次アーク・フラッシュを示す信号に応答して二次アーク放電故障を形成する。一実施形態においては、プラズマ・ガン２８２はプラズマ・ガン・カバー２１８（図３）で覆われている。動作時には、アーク光源電極２１６によって、回路上で検出された一次アーク・フラッシュに付随するエネルギーを散逸させるのに用いるアーク（たとえば第２のアーク・フラッシュ）を発生させて、その結果、アーク閉じ込め装置２００内に排気ガス、熱、および圧力が生成される。
【００１５】
導体カバー２１２は、複数の取付用アパーチャ（図示せず）を備えている。各アパーチャのサイズは、対応する固定メカニズムを内部に受け取って、導体カバー２１２を支持体（たとえば導体ベース２１０）に結合するように設定されている。また、導体カバー２１２は、複数の凹部２２２が内部に形成されたエッジ部分２２０を備えている（図４）。後でより詳細に説明するように、導体カバー２１２は、１または複数のはめ合い特徴部（たとえばリブ２２９）を備えている。この特徴部は、排気マニホールド２０４の排気ポート部材３４５内に形成された対応するはめ合い特徴部（たとえばスロット３５３）とはまり合うように構成されている。
【００１６】
上部カバー２０２は、上面２４２、へり２４４、および上面２４２とへり２４４との間を延びる側面２４６を備えている。へり２４４は、排気マニホールド支柱２３２（図２および４）を覆うようなサイズであり、また複数の取付用アパーチャ２４８を備えている。取付用アパーチャ２４８のサイズは、対応する固定メカニズム（たとえばねじボルト）２４９を内部に受け取って導体カバー２１２に結合するように設定されている。たとえば、上部カバー２０２の各取付用アパーチャ２４８は、排気マニホールド２０４の対応する取付用アパーチャ、および導体カバー２１２の対応する取付用アパーチャ２２２と、位置が合っている。
【００１７】
また、図３および４に示すように、ショック・シールド２０６は、電極２１６を覆うようなサイズであり、また電極２１６上に配置されてアーク光源がシールド２０６内に収容されるようになっている。一実施形態においては、ショック・シールド２０６は導体カバー２１２の上面２２４に固定して結合されている。
【００１８】
典型的な実施形態においては、ショック・シールド２０６は上面２２６および側面２２８を備えている。複数の排気口２３０が、上面および側面２２６および２２８内に形成されている。排気マニホールド２０４はショック・シールド２０６を覆うようなサイズである。排気マニホールド２０４は複数の支柱２３２（図４）を備えている。各支柱２３２は取付用アパーチャ（図示せず）を備えている。取付用アパーチャのサイズは、対応する固定メカニズムを内部に受け取って排気マニホールド２０４を導体カバー２１２に結合するように設定されている。また、各支柱２３２のサイズは、導体カバー２１２の対応する凹部２２２内に収まるように設定されている。
【００１９】
典型的な実施形態においては、また図３に示すように、上部カバー２０２のサイズは、排気マニホールド２０４を覆ってマニフォールド２０４がカバー２０２によって収容されるように、またそれらの間にキャビティ２３８を画定して、通路または排気経路２４０（図３では一般的に矢印「Ｐ」で示す）として使用できるように、設定されている。典型的な実施形態においては、排気マニホールド２０４はまた、上面２３４を備え、その中を通って複数の排気口２３６が排気経路２４０と流れ連絡する状態で延びている。同様に、複数の排気口２３６は、ショック・シールド２０６の複数の排気口２３０と流れ連絡している。さらに加えて、排気マニホールド２０４は少なくとも１つの排気ポート部材３４５を備えている。排気ポート部材３４５は、上部カバー２０２の一部と協同して開口部または間隙３５８を画定するように構成された第１の排気ポート面３５１を備えている。間隙３５８は、排気経路２４０と流れ連絡する状態で配置され、またキャビティ２３８からアーク閉じ込め装置２００の外へ排気ガス、熱、および圧力を逃がすための排気ポート３５０を与えるように配設されている。典型的な実施形態においては、排気マニホールド２０４は、排気マニホールド２０４の外部上に形成された２つの排気ポート部材３４５を備えている。動作時には、１または複数のはめ合い特徴部（たとえば、排気ポート部材３４５上に配置されたスロット３５３）が、対応するはめ合い特徴部（たとえば、導体カバー２１２上に配置されたリブ２２９）と協同して、構造剛性を実現し、また排気マニホールド２０４内から電気接地（たとえばフレーム３０２）への排気ガス、熱、および圧力の望ましくない「吹き抜け」を防止して、その結果、望ましくないグラウンド・ストライクを防止する。
【００２０】
さらに、アーク閉じ込め装置２００は、上部カバー２０２の周辺上に位置する１または複数の非導電性排気ダクト３２２を備えている。典型的な実施形態においては、図４〜６に例示するように、アーク閉じ込め装置２００は２つの排気ダクト３２２を備えている。各排気ダクト３２２は排気ポート３５０から排気ガスを送る。
【００２１】
図５は回路保護システム１０６の概略斜視図であり、図６は回路保護システム１０６の部分分解図である。典型的な実施形態においては、回路保護システム１０６は、コントローラ３００およびアーク閉じ込め装置２００を備えている。フレーム３０２は、機器エンクロージャ１０２（図１）内でアーク閉じ込め装置２００を支持するようなサイズに設定されている。好ましくは、フレーム３０２は接地に電気的に結合されている。コントローラ３００はフレーム３０２に結合されていて、回路保護システム１０６を機器エンクロージャ１０２に挿入するかまたは取り出すときに、コントローラ３００がアーク閉じ込め装置２００に固定されているようになっている。典型的な実施形態においては、フレーム３０２は、下壁３０４、第１の側壁３０６、および第２の側壁３０８を備えている。側壁３０６および３０８はそれぞれ、１または複数のローラ３１０を備えている。ローラ３１０のサイズは、エンクロージャ・コンパートメント（たとえば中央コンパートメント１１０（図１））内に設けられたラッキング・レール（図示せず）内に挿入されるかまたは共に用いられるように設定されている。
【００２２】
動作中に、コントローラ３００が、たとえば、エレクトロニクス・モジュール１０４（図１）から、１または複数のモニタリング装置（図示せず）（たとえば電流センサ、電圧センサなど）によってモニタされた回路上での一次アーク・フラッシュの検出を示す信号を受信する。検出に応答して、コントローラ３００は、プラズマ・ガン２８２にアブレーション・プラズマのプルームを放出させる。具体的には、プラズマ・ガン２８２は、プラズマを、電極２１６（図４）間に画定された間隙２８４内に放出する。プラズマによって、電極２１６の先端間のインピーダンスが下がり、二次アーク・フラッシュの形成が可能になる。二次アーク・フラッシュから、熱、圧力、光、および／または音などのエネルギーが放出される。
【００２３】
二次アーク・フラッシュによって排気ガスも形成される。排気ガスはショック・シールド２０６の排気口２３０を通して送られる。排気ガスはまた、排気マニホールド２０４の排気口２３６（図４）を通して、排気マニホールド２０４と上部カバー２０２との間に画定された排気経路２４０（図２）内に送られる。排気ガスは、排気経路２４０に沿って流れて、排気ポート３５０を通って第１の方向に送られた後、排気ダクト３２２を通って第２の方向に送られ、アーク閉じ込め装置２００から外へ出て、機器エンクロージャ１０２内の排気プレナム（図５および６に示さず）内に送られる。たとえば、図６に例示するような一実施形態においては、第２の方向は第１の方向と同じ方向であっても良い。別の実施形態においては、図６ａに示すように、第２の方向は第１の方向とある角度をなしていても良い。たとえば、一実施形態においては、第２の方向は、第１の方向が実質的に垂直方向であるときに実質的に水平方向であっても良い。別の実施形態においては、第２の方向は、第１の方向が実質的に垂直方向であるときに実質的に水平方向であっても良い。
【００２４】
図において各排気ダクト３２２を、一例として、限定することなく、略三角形の断面を有すると示しているが、各排気ダクト３２２には、任意の一般的に都合の良い断面を有するパイプ、チューブ、またはチャネルが含まれていても良いと考えられる。各排気ダクト３２２を、排気ガスを任意の所望の所定の方向に送るように配向および配設しても良い。同様に、図の実施形態では、一例として、限定することなく、２つの排気ポート３５０を例示しているが、当然のことながら、任意の数の排気ポートを、説明したように形成しても良く、また排気経路２４０と流れ連絡する状態で配設しても良い。同様に、図の実施形態では、一例として、限定することなく、２つの排気ダクト３２２が、対応する排気ポート３５０に流れ連絡する状態で接続されているのを例示しているが、当然のことながら、任意の数の排気ダクト３２２を一実施形態において提供しても良い。一実施形態においては、図６に示すように、各排気ダクト３２２が、下部または第１の排気ダクト部分３２６および上部または第２の排気ダクト部分３２８（下部排気ダクト部分３２６に結合されている）を備えている。たとえば、下部排気ダクト部分３２６は、少なくとも部分的に最上端部３３２の周辺に沿って延びるへり３３０を備えている。へり３３０のサイズは、上部排気ダクト部分３２８の底端部３３４内に挿入されるように設定されている。下部排気ダクト部分３２６は、底端部３３８の少なくとも一部に沿ってフランジ３３６を備える。フランジ３３６は複数の取付用アパーチャ３４０を備えている。取付用アパーチャ３４０のサイズは、対応する固定メカニズムを内部に受け取って、上部カバー２０２に結合するように設定されている。たとえば、下部排気ダクト部分３２６の各取付用アパーチャ３４０は、上部カバー２０２の対応する取付用アパーチャ２４８および排気マニホールド２０４の対応する取付用アパーチャと位置が合っている。同様に、上部排気ダクト部分３２８は最上端部３４４の少なくとも一部に沿ってフランジ３４２を備えている。フランジ３４２は複数の取付用アパーチャ３４６を備えている。取付用アパーチャ３４６のサイズは、対応する固定メカニズムを内部に受け取って、上部カバー２０２に結合するように設定されている。たとえば、上部排気ダクト部分３２８の各取付用アパーチャ３４６は、上部カバー２０２の対応する取付用アパーチャ３４８と位置が合っている。好ましくは、図４〜６に示すように、上部排気ダクト部分３２８の末端部は、保護メッシュまたはスクリーン３４７によって構成されていて、排気ダクト３２２内に物体の望ましくない入力が生じることを防止するようになっている。
【００２５】
図の実施形態は、一例として、限定することなく、各排気ダクト３２２が２つの別個の構成部品で形成されていると例示しているが、当然のことながら、一実施形態においては、各排気ダクト３２２は、単一であっても良いし、または任意の所望する数の構成部品が互いに結合されたものであっても良い。
【００２６】
複数の第１の一次電気コネクタ３１２がアーク閉じ込め装置２００に結合されていて、アーク閉じ込め装置２００を、アーク閉じ込め装置２００がモニタおよび／または保護する回路（図示せず）の複数の導体（図示せず）に電気的に接続している。また、コントローラ３００（図５）は、診断および／またはプラズマ・ガン点火試験を行なう際に用いる第２の二次コネクタ（図示せず）にコントローラ３００を接続する第１の二次電気コネクタ３１４を備えている。位置表示器３１６が上部カバー２０２に結合され、位置表示器３１６の方向は、ラッキング・カセット（図示せず）内に設けられた開閉器（図示せず）に嵌合して、ラッキング・カセット内のアーク閉じ込め装置２００の位置を示すように設定されている。これについては後で詳述する。たとえば、位置表示器３１６は、内部を１または複数の取付用アパーチャ３２０が延びるフランジ３１８を備え、また位置表示器３１６のサイズは、対応する固定メカニズムを受け取って位置表示器３１６を上部カバー２０２に結合するように設定されている。したがって、上部カバー２０２は、フランジ３１８の対応する取付用アパーチャ３２０の真下に位置する１または複数の対応する取付用アパーチャ（図示せず）を備えている。特に、位置表示器３１６を、開閉器がラッキング・カセット内のアーク閉じ込め装置２００の位置を示すことができるように、アーク閉じ込め装置２００の任意の好適な部分に結合しても良い。
【００２７】
以上、配電機器を保護するためのデバイス内で用いる装置の典型的な実施形態について詳細に述べている。システム、方法、および装置は、本明細書で説明した特定の実施形態には限定されず、むしろ、方法の動作ならびに／またはシステムおよび／もしくは装置の構成要素は、本明細書で説明した他の動作および／または構成要素から独立および別個に用いても良い。さらに、説明した動作および／または構成要素を、他のシステム、方法、および／または装置において規定しても良いし、またはこれらと組み合わせて用いても良く、本明細書で説明したようなシステム、方法、および記憶媒体のみを用いて実行することに限定されない。
【００２８】
本発明を典型的な回路保護環境と関連して説明しているが、本発明の実施形態は、多数の他の汎用または専用の回路保護環境または構成とともに動作可能である。回路保護環境は、本発明の任意の態様の用途または機能の範囲について何ら限定を示唆することは意図されていない。また、回路保護環境は、典型的な動作環境において例示した部品の任意の一つまたは組み合わせに関する任意の依存関係または要求を有するものと解釈すべきではない。
【００２９】
特に指示がない限り、本明細書で例示および説明した本発明の実施形態における動作の実行または実施の順序は本質的ではない。すなわち、動作は、特に指示がない限り、任意の順序で実施しても良く、また本発明の実施形態には、さらなる動作または本明細書で開示したものよりも少ない動作が含まれていても良い。たとえば、特定の動作を、別の動作の前に、同時に、または後に実行または実施することは、本発明の態様の範囲内であると考えられる。
【００３０】
本発明の態様またはその実施形態の要素を導入するとき、冠詞「ａ」「ａｎ」「ｔｈｅ」および「前記（ｓａｉｄ）」は、要素のうちの１または複数が存在していることを意味することが意図されている。用語「備える（ｃｏｍｐｒｉｓｉｎｇ）」、「含む（ｉｎｃｌｕｄｉｎｇ）」、および「有する（ｈａｖｉｎｇ）」は、包含的であることが意図されており、列記した要素以外のさらなる要素が存在していても良いことを意味している。
【００３１】
この書面の説明では、実施例を用いて、本発明を、ベスト・モードも含めて開示するとともに、どんな当業者も本発明を実施できるように、たとえば任意のデバイスまたはシステムを作りおよび用いること、ならびに取り入れた任意の方法を実行することができるようにしている。本発明の特許可能な範囲は、請求項によって定められるとともに、当業者に想起される他の実施例を含んでいても良い。このような他の実施例は、請求項の文字通りの言葉使いと違わない構造要素を有する場合、または請求項の文字通りの言葉使いとの違いが非実質的である均等な構造要素を含む場合には、請求項の範囲内であることが意図されている。
【図１】
2012142276.tif 000003
【図２】
2012142276.tif 000004
【図３】
2012142276.tif 000005
【図４】
2012142276.tif 000006
【図５】
2012142276.tif 000007
【図６】
2012142276.tif 000008
【図６ａ】
2012142276.tif 000009
【外国語明細書】
2012142276000001.pdf